(57)【要約】【課題】本発明は、従来技術の欠点である接続方法において風呂水吸水ホース継手を洗濯機本体に接続する場合、挿入性を改善し、且つ充電部の接片などの発錆による腐食を防止し、絶縁材料がアークトラッキングにより劣化しずらくした洗濯機を提供することを目的とする。【解決手段】本発明は接続継手の挿入部外周に通電用導体を設け、トップカバーの挿入部に設けられた電源供給接片とで回動自在に導通できる構成とし、かつトップカバー挿入部の電源接片部の下部位置には水分を排出できるように水抜け穴を設け、充電部の接片などの発錆による腐食や絶縁材料がアークトラッキングにより劣化することを防止した構成とした。【選択図】  図１
2005006783.tif 000002
【特許請求の範囲】
【請求項１】
洗濯機の本体上部に設けられた合成樹脂などで形成されているカバーの後部に風呂水吸水ホースを接続する挿入口を有したものにおいて、挿入口の内部に設けたポンプを駆動する電源供給用の接片部の下部に水抜き穴を設けたことを特徴とする洗濯機。
【請求項２】
風呂水吸水ホースの先端部に位置している洗濯機本体へ接続する接続継手の外周部にポンプモータに通電する電極板を設け、ポンプモータへの通電電源コードを吸水ホースと一体に構成したことを特徴とする洗濯機。
【請求項３】
請求項２において、接続継手は風呂水吸水ポンプに通電した状態で回動自在となる構造としたことを特徴とする洗濯機。
【請求項４】
請求項１から３において、風呂水吸水ポンプは吸水する先端部に駆動用モータと風呂水を吸い上げるランナーとを設けて、風呂水の中に投入する投げ込み形の押し上げ吸水ポンプとしたことを特徴とする洗濯機。
【発明の詳細な説明】
【０００１】
【発明の属する技術分野】
本発明は、全自動洗濯機の吸水ポンプに係わるものである。
【０００２】
【従来の技術】
公知例として、特開２０００−２６２７９７号公報があるが、この接続方法であると、洗濯機に接続する場合、一定の決まられた位置での挿入しかできず、また風呂水吸水ホースを洗濯機に接続する場合、水漏れ防止用のパッキンの摩擦抵抗により挿入力が大となり挿入しずらいという問題がある。
【０００３】
また、接続部に水抜き穴が設けられていないため、抜き差し時に充電部に残水の水滴がかかり充電部の接片などの発錆による腐食や絶縁材料がアークトラッキングにより劣化し易いため沿面距離を大幅にとる必要があり小形化がしにくいなどの問題を含んでいる。
【０００４】
【特許文献１】
特開２０００−２６２７９７号公報
【０００５】
【発明が解決しようとする課題】
本発明は、従来技術の欠点である接続方法において風呂水吸水ホース継手を洗濯機本体に接続する場合、挿入性を改善し、且つ充電部の接片などの発錆による腐食を防止し、絶縁材料がアークトラッキングにより劣化しずらくしたことにある。
【０００６】
【課題を解決するための手段】
本発明は接続継手の挿入部外周に通電用導体を設け、トップカバーの挿入部に設けられた電源供給接片とで回動自在に導通できる構成とし、かつトップカバー挿入部の電源接片部の下部位置には水分を排出できるように水抜け穴を設け、充電部の接片などの発錆による腐食や絶縁材料がアークトラッキングにより劣化することを防止した構成とした。
【０００７】
【発明の実施の形態】
図１は、本発明に係わる全自動洗濯機の外観図を示す。
【０００８】
外枠１は内部機構の周囲を内包する全自動洗濯機の枠体である。外枠１の上部には合成樹脂等で形成されたトップカバー２が設けられており、そのトップカバー２には、洗濯時、洗濯物を投入するための開閉蓋３がある。またトップカバー２の前面部にはコントロールパネルが位置されており、後方部には水道水から洗濯およびすすぎに必要な水を給水する給水ホース４と風呂水を給水する風呂水吸水ホース５が設けられている。この風呂水吸水ホース５はフレキシブルなものとなっており、ホースの内側には絶縁部材を介して、風呂水吸水ポンプ１２へ通電できる電源線１３が内蔵されている。洗濯およびすすぎ終了時には洗濯水やすすぎ水を排水ホース６から洗濯機外に排水するものである。洗濯する時は、電源コード７をコンセントに挿入して、トップカバー２の前面部に位置しているスタートスイッチ８を押すことにより全自動コースが開始されて洗濯する。このとき、洗濯に風呂水を吸水して行う場合には、風呂水切換選択スイッチ９にて風呂水使用を選択すれば表示板１０に風呂水吸水が表示されて、スタートスイッチ８を押すことにより、風呂１１内に投入された風呂水吸水ポンプ１２に通電されて、風呂の残り湯を吸水して洗濯する。この風呂水吸水ポンプ１２は、モータと吸水用のランナーが組み込まれており、通電されるとモータが運転して風呂の水を風呂水吸水ホース５を介して洗濯機に供給する押上げポンプとなっている。
【０００９】
次に、図２を基に説明する。
【００１０】
図２は、洗濯やすすぎ時に洗濯機へ供給する洗濯水を水道水とするか風呂水として洗濯するかのいずれかの方法で行う説明のフローチャート図である。
（Ｓ１０１）
水道水かまたは風呂水を使用して洗濯を行うかを選択した後にスタートスイッチ８を押す。
（Ｓ１０２）
マイコンの制御内部で、風呂水か水道水かのいずれかを選択されたかを判断する。
（Ｓ１０３）
先に、風呂水が選択されたと判断すると風呂水吸水ホース５を介して自動的に風呂水吸水ポンプ１２に通電し風呂１１内にある風呂水を洗濯機に供給する。
（Ｓ１０４）
洗濯機として洗濯するのに必要な洗濯水が供給されているか否かを水位センサー等により検知し必要量に達すると給水停止（Ｓ１０５）して洗たく開始（Ｓ１０６）する。
（Ｓ１０７）
洗濯する場合、水道水が選択され場合には、給水ホース４を介して水道水を給水する。
（Ｓ１０８）
洗濯に必要な水道水が給水されたことを水位センサーなどで検知した場合、給水停止（Ｓ１０５）を行い、洗たく開始（Ｓ１０６）する。
（Ｓ１０９）
洗濯開始後は、洗濯制御に従い次の工程へ移行する。
【００１１】
次に、図３について説明する。
【００１２】
図３は、風呂水吸水ホース５の先端部の部分断面図である。この先端は洗濯機本体のトップカバー２の風呂水吸水口の挿入口２０に挿入される。風呂水吸水ホース５はフレキシブルなもので構成されており、その内部には絶縁被覆されたラセン状の電源線１３の構造となっている。電源線１５は合成樹脂などにより成形された接続継手１４ａと１４ｂの内部から接続継手１４ｂの外周にある導電部１７ａと導電部１７ｂに接続されている。
【００１３】
また、接続継手１４ｂの外周には水漏れ防止用のＯリング１８が設けられている。
【００１４】
また、固定用の固定フック１６が接続継手１４ｂに一体に成形されている。
【００１５】
次に図４を基に説明する。
【００１６】
図４は、トップカバー２の後方に位置している風呂水吸水挿入部の断面図である。
【００１７】
風呂水吸水ホース５の先端にある接続継手１４ｂは、トップカバー２の後方部に位置している挿入口２０に挿入される。この挿入口には、接続継手１４ａおよび１４ｂの外周部に設けられた導電部１７ａおよび導電部１７ｂに電源を供給する電源接片２１と電源接片２２とにより導通されるようになっている。この電源接片２１と電源接片２２は制御部と電源線２３ａおよび電源線２３ｂとにより接続されている。
【００１８】
また、挿入口２０の外周底部には水抜き穴２４ａおよび水抜き穴２４ａ２４ｂが設けられており接続継手１４ｂを挿入口２０へ挿入するとき、風呂水吸水ホース５内に溜まっていた水分が流出した場合、電源接片２１と電源接片２２に接触して発錆及び絶縁低下をしないような構成をとっている。また電源接片２１と電源接片２２は一体成形され下方から差込みトップカバー２に固定されている。電源を接続する部分はタブ端子構造またはリード線を半田で接続しても良い。固定方法としてはネジで成形部を固定するかトップカバー２に突起を出して熱加締めしてもよい。
【００１９】
次に図５を基に説明する。
【００２０】
図５は、トップカバー２に設けられた挿入口２０に風呂水吸水ホース５の先端部の接続継手１４ａおよび接続継手１４ｂを挿入した状態の断面図である。
【００２１】
風呂水吸水ホース５の先端部に位置している接続継手１４ｂをトップカバー２の挿入口２０へ挿入する場合、左右に約９０度の角度で回動しながら挿入することによりねじり込む様にして挿入できるので動摩擦により摩擦抵抗が少なくなり接続継手１４ｂの外周部にある水漏れ防止用のＯリングの摩擦抵抗が低下して容易に挿入することができる。
【００２２】
挿入後は、自然に外れないように、接続継手１４ａの側面に設けられた固定フック１６によりトップカバー２の凸部に固定される。
【００２３】
本発明は、このように風呂水吸水ホース５を左右に９０度以上回動自在とした構成にすることにより、回動しながら挿入できるように電源接続の構成がされている。
【００２４】
【発明の効果】
本発明によれば、風呂水吸水ホース継手を洗濯機本体に接続する場合、挿入性を改善し、且つ充電部の接片などの発錆による腐食を防止し、絶縁材料がアークトラッキングにより劣化し易くなるという問題を解決することができる。
【図面の簡単な説明】
【図１】本発明の洗濯機の外観図。
【図２】本発明の洗濯機の洗濯水給水制御フローチャート図。
【図３】本発明の風呂水吸水ホースの拡大図。
【図４】本発明の風呂水給水ホース挿入部断面図。
【図５】本発明の風呂水吸水ホース挿入断面図。
【符号の説明】
５…風呂水吸水ホース、１４ａ…接続継手  、２１，２２…電源接片。
【図１】
2005006783.tif 000003
【図２】
2005006783.tif 000004
【図３】
2005006783.tif 000005
【図４】
2005006783.tif 000006
【図５】
2005006783.tif 000007